(57)【要約】【課題】本発明は、コンパクトなものとし、水洗い可能で清掃容易な電撃殺鼠器を提供することを目的とする。【解決手段】本発明の電撃殺鼠器は、左右側壁３と、該左右側壁３の下部を連結する底壁４と、前記左右側壁３と底壁４の後端部を塞ぐ後壁５とを有して、前記左右側壁３間の上方開口部と前方入口部６とを形成した本体１と、前記本体１の上方開口部を開閉自在に施蓋するカバー２とを有し、前記本体１には、前記底壁４上に配置された一対の電極９と、この電極９に接続される電極端子１０とが設けられ、前記カバー２には、前記電極端子１０に係脱自在に接続する高圧端子１５と、該高圧端子１５に高電圧を印加する制御部１７と、該制御部１７に接続された電源部１８とが設けられている。【選択図】図１
2020054290.tif 000002
【特許請求の範囲】
【請求項１】
左右側壁と、該左右側壁の下部を連結する底壁と、前記左右側壁と底壁の後端部を塞ぐ後壁とを有して、前記左右側壁間の上方開口部と前方入口部とを形成した本体と、
前記本体の上方開口部を開閉自在に施蓋するカバーとを有し、
前記本体には、前記底壁上に配置された一対の電極と、この電極に接続される電極端子とが設けられ、
前記カバーには、前記電極端子に係脱自在に接続する高圧端子と、該高圧端子に高電圧を印加する制御部と、該制御部に接続された電源部とが設けられた電撃殺鼠器。
【請求項２】
前記電源部には、電池を収納する電池収納部が設けられている請求項１記載の電撃殺鼠器。
【請求項３】
前記制御部から前記高圧端子に至る配線に、前記カバーを前記本体から取り外したときに切断動作し、前記カバーを前記本体に取り付けたときに接続動作する安全スイッチが設けられた請求項１または２記載の電撃殺鼠器。
【請求項４】
前記本体に突部が設けられ、
前記安全スイッチは、前記カバーを前記本体に取り付けたときに、前記突部に押されて接続動作をするものである請求項３記載の電撃殺鼠器。
【請求項５】
前記カバーには、前記電源部から制御部への通電を入り切りするメインスイッチと、前記制御部によって制御される情報伝達部とが設けられ、
前記情報伝達部は、緑と赤の光を発する発光部と、音声を発する音声部とを有し、
前記制御部は、前記メインスイッチを入れると前記発光部の緑・赤が１回ずつ点滅して待機状態とし、その後、１０秒ごとに赤が点滅し、ネズミが侵入すると、赤が点灯し、高電圧が放電され、取り逃がし防止のために放電を３０秒間に５回繰り返し、ネズミが感電死し放電が終われば、緑が点灯し、前記音声部のビー音が鳴り、ネズミが廃棄されるまで緑が点滅するよう制御する請求項１〜４のいずれか一つに記載の電撃殺鼠器。
【発明の詳細な説明】
【技術分野】
【０００１】
本発明は、電撃殺鼠器に関する。
【背景技術】
【０００２】
この種のネズミ捕り器として、特許文献１に記載のものが公知である。
特許文献１に記載のネズミ等の小動物捕獲装置は、ネズミ等の小動物誘い込み用誘引物を置く誘引物置き場と、前記誘引物置き場へ続く前記小動物が移動可能な通路と、前記通路を通る前記小動物の存在を検出する検出部と、前記検出部の動作に基づいて前記通路を通る前記小動物へ高電圧を印加する高電圧印加部を設けてなるものであった。
【０００３】
この装置は、ネズミ等の小動物が出入り可能な出入り口を有した行き止まり通路と、この通路の奥部に設けた前記小動物誘い込み用誘引物を置く誘引物置き場と、前記出入り口と前記誘引物置き場との間にあって前記通路を通る前記小動物の存在を検出する検出部と、前記検出部の動作に基づいて前記通路を通る前記小動物へ高電圧を印加する高電圧印加部を設けてなるものであった。
【０００４】
この装置は、本体と、この本体に取り外し可能に組み合わせたカバーを有し、前記本体に前記カバーが組み合わされた状態において、前記本体上に一端側がネズミ等の小動物の出入り口で他端側が行き止まりとなった前記小動物が移動可能な通路が形成され、前記通路の奥部には前記小動物誘い込み用誘引物を置く誘引物置き場を設け、前記出入り口と前記誘引物置き場との間には前記通路を通る前記小動物の存在を検出する検出部と、前記検出部の動作に基づいて前記小動物へ高電圧を印加する高電圧印加部を設けてなるものであった。
【０００５】
前記高電圧印加部は、ネズミ等の小動物によって短絡される一対の電極が配置されたものであり、電極間に跨った小動物へ高電圧が印加されるものであった。前記高電圧印加部に高電圧を供給する高電圧発生部が設けられ、この高電圧発生部は、電源に接続されていた。
【０００６】
電源として電池を用いる場合、この電池と制御回路とを一つのボックスに収納し、このボックスと本体とをコネクタで着脱自在に接続するものであった。
【先行技術文献】
【特許文献】
【０００７】
【特許文献１】特開２００２−１６０号公報
【発明の概要】
【発明が解決しようとする課題】
【０００８】
前記特許文献１記載のネズミ等の小動物捕獲装置は、本体に高圧電圧発生部等の電気回路を含む電装品が設けられていたため、清掃する際、本体を水洗い等することができず、不衛生になるものであった。
【０００９】
また、電池式のものは、一対の電極を設けた本体と、本体に着脱自在に設けられるカバーと、電池と制御回路とを設けたボックスとを有し、前記本体とボックスとはコネクタを介して着脱自在に電気的に接続されたものであった。
【００１０】
この従来の電池式のものでは、本体とカバーとボックスの三つの部材から構成されるためコンパクト性に欠け、コネクタの着脱作業が必要なため設置性にも欠けるものであった。
本発明は、コンパクトなものとし、水洗い可能で清掃容易な電撃殺鼠器を提供することを目的とする。
【課題を解決するための手段】
【００１１】
本発明は、前記課題を解決することを目的とする。本発明の電撃殺鼠器は、左右側壁と、該左右側壁の下部を連結する底壁と、前記左右側壁と底壁の後端部を塞ぐ後壁とを有して、前記左右側壁間の上方開口部と前方入口部とを形成した本体と、前記本体の上方開口部を開閉自在に施蓋するカバーとを有し、前記本体には、前記底壁上に配置された一対の電極と、この電極に接続される電極端子とが設けられ、前記カバーには、前記電極端子に係脱自在に接続する高圧端子と、該高圧端子に高電圧を印加する制御部と、該制御部に接続された電源部とが設けられている。
【００１２】
前記電源部には、電池を収納する電池収納部が設けられているのが好ましい。
前記制御部から前記高圧端子に至る配線に、前記カバーを前記本体から取り外したときに切断動作し、前記カバーを前記本体に取り付けたときに接続動作する安全スイッチが設けられている。
【００１３】
前記本体に突部が設けられ、前記安全スイッチは、前記カバーを前記本体に取り付けたときに、前記突部に押されて接続動作をするものであるのが好ましい。
【００１４】
前記カバーには、前記電源部から制御部への通電を入り切りするメインスイッチと、前記制御部によって制御される情報伝達部とが設けられているのが好ましい。
【００１５】
前記情報伝達部は、緑と赤の光を発する発光部と、音声を発する音声部とを有し、前記制御部は、前記メインスイッチを入れると前記発光部の緑・赤が１回ずつ点滅して待機状態とし、その後、１０秒ごとに赤が点滅し、ネズミが侵入すると、赤が点灯し、高電圧が放電され、取り逃がし防止のために放電を３０秒間に５回繰り返し、ネズミが感電死し放電が終われば、緑が点灯し、前記音声部のビー音が鳴り、ネズミが廃棄されるまで緑が点滅するよう制御するのが好ましい。
【発明の効果】
【００１６】
本発明によれば、本体とカバーの二部材によるコンパクトな構造とし、カバーに電装品を設け、本体に電極を設ける構成としたので、本体を水洗い可能とすることができるという効果を奏するものである。
【図面の簡単な説明】
【００１７】
【図１】本発明の実施の形態を示す正面図。
【図２】図１の右側面図。
【図３】図１の左側面図。
【図４】本体の平面図。
【図５】本体の斜視図。
【図６】カバーの下面側からみた斜視図。
【図７】カバーに設けられた電装品の回路説明図。
【発明を実施するための形態】
【００１８】
以下、本発明の実施の形態を図面に基づき説明する。
図１〜図７において、電撃殺鼠器は、本体１と、この本体１に着脱自在に装着されるカバー２とを有する。
【００１９】
本体１は、左右側壁３と、この左右側壁３の下部を連結する底壁４と、前記左右側壁３と底壁４の後端部を塞ぐ後壁５とを有する。前記左右側壁３，３間の上方は開口部とされ、前方は入口部６とされている。
底壁４は、接地面より一段高い位置に配置されており、底壁４の入口部６は円弧面又は傾斜面を介して接地している。このように入口部６に段差を設けることにより、ネズミが侵入しやすくなる。後壁５手前の底壁４に穴部が設けられ、この穴部に餌置きトレイ７が嵌合している。このトレイ７にネズミの好むエサが置かれる。後壁５には、餌の匂いが外部に流れるようにする通風孔８が開口している。
【００２０】
本体１の底壁４上に一対の電極９が配置されている。この電極９に接続される電極端子１０が本体１の後壁５上端に設けられている（図５参照）。電極端子１０と電極９は、通電ライン１１で接続されている（図４参照）。通電ライン１１は、電極端子１０から後壁５を伝って下り、底壁４の左右の隅部に配置されて電極９に達している。
電極９、電極端子１０及び通電ライン１１は、ステンレス製であり、水洗いしても錆びないものとされている。
電極９は、所定の前後方向の幅と左右方向の長さの平坦面を有する一対の横部１２と、この横部１２の左右方向一端同士を連結する連結部１３とがコ字状に形成されている。一方の電極９の一の横部１２の他端が他方の電極９の連結部１３に対面するよう、互いに所定間隔を有して入れ込み状に配置されている。
【００２１】
前記入れ込み状の部分の底壁４は、前記電極９の平坦面よりも上方に突出した突条部１４に形成されている（図１、図４参照）。
この突条部１４は、ネズミの一つの足内において一対の電極９，９間にまたがって短絡接触しないようにした障害部である。左右の足又は前後の足が、一対の電極９にまたがって接触すれば、一対の電極９間に流れる電流は、ネズミの心臓を通過するので、死に至らしめることができる。しかし、一の足内で感電しても、心臓に達しないので、死に至らず、逃げ出してしまう。一対の電極９間に障害部となる突条部１４を設けることにより、ネズミを感電死させることができる。
【００２２】
前記カバー２は、本体１の上方開口部を開閉自在に施蓋するものである。カバー２には、前記一対の電極端子１０に係脱自在に接続する一対の高圧端子１５が、カバー２の底面１６から突出するように設けられている（図３及び図６参照）。カバー２には、高圧端子１５に高電圧を印加する制御部１７と、この制御部１７に電気を供給する電源部１８とが設けられている。
制御部１７は、一対の高圧端子１５間に７，０００ボルトの高電圧をパルスとして印加するものである。
【００２３】
電源部１８には、電池１９を収納する電池収納部２０が設けられている。電池収納部２０には、４個の乾電池１９が直列接続で収納される。また、電源部１８には、外部電源差し込み端子２１が設けられ（図３参照）、電池１９に代えて、この端子２１からＤＣ電源が供給可能とされている。
前記制御部１７から高圧端子１５に至る配線に、カバー２を本体１から取り外したときに切断動作し、カバー２を本体１に取り付けたときに接続動作する安全スイッチ２２が設けられている（図３、図６参照）。
安全スイッチ２２は、カバー２を本体１に取り付けたときに、本体１に設けられた突部２３に押されて接続動作をするものである。突部２３は、本体１の後壁５上端面の左右方向中央部に突設されている。
【００２４】
カバー２は、側壁３及び後壁５の上端にスライドして本体１に着脱自在となるよう設けられている。本体１とカバー２との着脱構造は、本体１に設けられた係合部２４と、前記カバー２に設けられた被係合部２５とが、相対的にスライドすることにより係脱自在となるものである。
係合部２４は、左右側壁３の上端面に突設された前後一対の第１突出部２６と、後壁５の上端面に突設された左右一対の第２突出部２７とからなる。この第２突出部２７の上面に、前記電極端子１０がねじ止めされている。
【００２５】
図５、図６に示すように、第１突出部２６には、後方及び外側方に開口する第１溝部２８が形成されている。第２突出部２７には、後方に開口する第２溝部２９が設けられている。
前後一対の第１突出部２６間の側壁３上面にガイドレール３０が前後方向に沿って突設されている。このガイドレール３０にカバー２の下端縁内側がガイドされる。
被係合部２５は、前記第１突出部２６の第１溝部２８に係合する第１爪片３１と、第２突出部２７の第２溝部２９に係合する第２爪片３２とをカバー２の下端縁に内側方に突出するよう形成されている。
【００２６】
第２溝部２９に第２爪片３２が係合して、カバー２が本体１上面に密着固定されると、第２突出部２７の上面に設けられた電極端子１０と、カバー２の底面１６より突出する高圧端子１５とが密着接触し、良好な通電状態を維持する。またこの装着状態において、後壁５上端面に設けられた突部２３が、カバー２に設けられた安全スイッチ２２を確実に押圧し、安全スイッチ２２を接続状態にするので、制御部１７によって生成される衝撃電圧は、高圧端子１５から電極端子１０に通電される。
カバー２には、電源部１８から制御部１７への通電を入り切りするメインスイッチ３３と、制御部１７によって制御される情報伝達部３４とが設けられている（図３参照）。情報伝達部３４は、緑と赤の光を発する発光部３５と、音声を発する音声部３６とを有する（図７参照）。発光部３５はＬＥＤからなる。音声部３６はビー音発生装置からなる。
【００２７】
前記制御部１７は、前記メインスイッチ３３を入れると前記発光部３５の緑・赤が１回ずつ点滅して待機状態とするよう情報伝達部３４を制御する。その後、１０秒ごとに赤が点滅する。ネズミが侵入すると、赤が点灯し、高電圧が放電される。取り逃がし防止のために放電を３０秒間に５回繰り返し、ネズミが感電死し放電が終われば、緑が点灯し、前記音声部３６のビー音が鳴る。ネズミが廃棄されるまで緑が点滅する。
上記構成の実施の形態によれば、餌置きトレイ７に入れられたエサにつられて、入口部６から浸入したネズミは、左右の足又は前後の足間に跨って、一対の電極９間に接触することにより、７，０００ボルトの衝撃高電圧に感電して、ショック死する。
【００２８】
本体１からカバー２を取り外せば、本体１の上方は解放されているので、餌の供給が容易であり、また、清掃も容易になる。本体１には、電極９以外の電装品は設けられていないので、水洗いも可能となる。電極９は、ステンレス製であるので錆のおそれはない。
【００２９】
本体１から取り外されたカバー２において、メインスイッチ３３が入り状態であっても、安全スイッチ２２により、高圧端子１５への通電は切り状態となっているので、誤って高圧端子１５に接触しても感電の恐れはない。
【００３０】
今回開示された実施の形態はすべての点で例示であって制限的なものではない。例えば、本体とカバーとの着脱自在な構成は、スライド式に限らず、上方から嵌合するものや、ヒンジを介して開閉するものであっても良い。電極の形状もコ字状のものに限定されない。本発明の範囲は、上記した説明ではなく、特許請求の範囲によって示され、特許請求の範囲と均等の意味及び範囲内でのすべての変更が含まれる。
【符号の説明】
【００３１】
１  本体
２  カバー
３  側壁
４  底壁
５  後壁
６  入口部
７  餌置きトレイ
８  通風孔
９  電極
１０  電極端子
１１  通電ライン
１２  横部
１３  連結部
１４  突条部
１５  高圧端子
１６  底面
１７  制御部
１８  電源部
１９  電池
２０  電池収納部
２１  外部電源差し込み端子
２２  安全スイッチ
２３  突部
２４  係合部
２５  被係合部
２６  第１突出部
２７  第２突出部
２８  第１溝部
２９  第２溝部
３０  ガイドレール
３１  第１爪片
３２  第２爪片
３３  メインスイッチ
３４  情報伝達部
３５  発光部
３６  音声部
【図１】
2020054290.tif 000003
【図２】
2020054290.tif 000004
【図３】
2020054290.tif 000005
【図４】
2020054290.tif 000006
【図５】
2020054290.tif 000007
【図６】
2020054290.tif 000008
【図７】
2020054290.tif 000009
【手続補正書】
【提出日】平成31年1月7日(2019.1.7)
【手続補正１】
【補正対象書類名】特許請求の範囲
【補正対象項目名】全文
【補正方法】変更
【補正の内容】
【特許請求の範囲】
【請求項１】
左右側壁と、該左右側壁の下部を連結する底壁と、前記左右側壁と底壁の後端部を塞ぐ後壁とを有して、前記左右側壁間の上方開口部とネズミの入口である前方入口部とを形成した本体と、
前記本体の上方開口部を開閉自在に施蓋するカバーとを有し、
前記本体には、前記底壁上に配置された一対の電極と、この電極に接続される電極端子とが設けられ、
前記カバーには、前記電極端子に係脱自在に接続する高圧端子と、該高圧端子に高電圧を印加する制御部と、該制御部に接続された電源部とが設けられ、
前記底壁には、前記一対の電極の間に、該電極の平坦面よりも上方に突出した突条部が、前記前方入口部から侵入したネズミの一つの足内において前記一対の電極間にまたがって短絡接触しないようにした障害部として形成されている電撃殺鼠器。
【請求項２】
前記電源部には、電池を収納する電池収納部が設けられている請求項１記載の電撃殺鼠器。
【請求項３】
前記制御部から前記高圧端子に至る配線に、前記カバーを前記本体から取り外したときに切断動作し、前記カバーを前記本体に取り付けたときに接続動作する安全スイッチが設けられた請求項１または２記載の電撃殺鼠器。
【請求項４】
前記本体に突部が設けられ、
前記安全スイッチは、前記カバーを前記本体に取り付けたときに、前記突部に押されて接続動作をするものである請求項３記載の電撃殺鼠器。
【請求項５】
前記カバーには、前記電源部から制御部への通電を入り切りするメインスイッチと、前記制御部によって制御される情報伝達部とが設けられ、
前記情報伝達部は、緑と赤の光を発する発光部と、音声を発する音声部とを有し、
前記制御部は、前記メインスイッチを入れると前記発光部の緑・赤が１回ずつ点滅して待機状態とし、その後、１０秒ごとに赤が点滅し、ネズミが侵入すると、赤が点灯し、高電圧が放電され、取り逃がし防止のために放電を３０秒間に５回繰り返し、ネズミが感電死し放電が終われば、緑が点灯し、前記音声部のビー音が鳴り、ネズミが廃棄されるまで緑が点滅するよう制御する請求項１〜４のいずれか一つに記載の電撃殺鼠器。
【手続補正２】
【補正対象書類名】明細書
【補正対象項目名】００１１
【補正方法】変更
【補正の内容】
【００１１】
本発明は、前記課題を解決することを目的とする。本発明の電撃殺鼠器は、左右側壁と、該左右側壁の下部を連結する底壁と、前記左右側壁と底壁の後端部を塞ぐ後壁とを有して、前記左右側壁間の上方開口部とネズミの入口である前方入口部とを形成した本体と、前記本体の上方開口部を開閉自在に施蓋するカバーとを有し、前記本体には、前記底壁上に配置された一対の電極と、この電極に接続される電極端子とが設けられ、前記カバーには、前記電極端子に係脱自在に接続する高圧端子と、該高圧端子に高電圧を印加する制御部と、該制御部に接続された電源部とが設けられ、前記底壁には、前記一対の電極の間に、該電極の平坦面よりも上方に突出した突条部が、前記前方入口部から侵入したネズミの一つの足内において前記一対の電極間にまたがって短絡接触しないようにした障害部として形成されている。
【手続補正３】
【補正対象書類名】明細書
【補正対象項目名】００１６
【補正方法】変更
【補正の内容】
【００１６】
本発明によれば、本体とカバーの二部材によるコンパクトな構造とし、カバーに電装品を設け、本体に電極を設ける構成としたので、本体を水洗い可能とすることができるとともに、底壁には、一対の電極の間に、電極の平坦面よりも上方に突出した突条部が、前方入口部から侵入したネズミの一つの足内において一対の電極間にまたがって短絡接触しないようにした障害部として形成されているので、ネズミを感電死させることができるという効果を奏するものである。